(57)【特許請求の範囲】
【請求項１】
吸収塔内に設置されるミストエリミネータを複数の領域に分割し、該各領域毎に洗浄水噴射ラインを配設し、該各洗浄水噴射ライン途中に設けられた洗浄弁を順次開閉することにより、ミストエリミネータの洗浄を行うようにした排煙脱硫装置のミストエリミネータ洗浄方法であって、発電機出力に基づいてミストエリミネータの基本洗浄水流量を求め、該基本洗浄水流量を吸収塔の液レベルに応じて補正し、必要洗浄水流量を求め、該必要洗浄水流量に基づき洗浄弁の開閉時間を制御し、ミストエリミネータの洗浄を行うことを特徴とする排煙脱硫装置のミストエリミネータ洗浄方法。
【発明の詳細な説明】
【０００１】
【発明の属する技術分野】
本発明は、排煙脱硫装置のミストエリミネータ洗浄方法に関するものである。
【０００２】
【従来の技術】
一般に、発電所等においては、石炭焚ボイラ等から排出される排ガスからＳＯ2（硫黄酸化物）を吸収除去するために、吸収剤として炭酸カルシウム（ＣａＣＯ3）を用いた排煙脱硫装置が設けられるが、該排煙脱硫装置は、通常、図８に示されるように、下部に吸収液１の液溜部１ａが形成され且つ上部に多数のスプレーノズル２が配設された吸収塔３と、該吸収塔３の液溜部１ａの吸収液１を汲み上げ前記スプレーノズル２から噴霧させて循環させる複数台の循環ポンプ４と、前記吸収塔３の液溜部１ａに酸化空気を供給する酸化空気ブロワ５とを備えてなる構成を有している。
【０００３】
前述の如き排煙脱硫装置の場合、吸収液１が循環ポンプ４の作動によりスプレーノズル２から噴霧されつつ循環しており、図示していない石炭焚ボイラ等から吸収塔３に送り込まれた排ガスは、前記スプレーノズル２から噴霧される吸収液１と接触することにより、ＳＯ2が吸収除去された後、吸収塔３内上部に設置された複数段（図の例では上下二段）のミストエリミネータ６，７によって排ガスに同伴されるミストが除去され、図示していない煙突から大気へ放出される。
【０００４】
一方、前記排ガスからＳＯ2を吸収した吸収液１は、液溜部１ａに滴下し、酸化空気ブロワ５の作動によって液溜部１ａ内へ供給される酸化空気により強制的に酸化され、石膏（硫酸カルシウム（ＣａＳＯ4））が生成され、該石膏を含む液溜部１ａ内の吸収液１は、吸収塔３の底部から石膏スラリーとして抜き出され、該石膏スラリーから水分が除去され石膏が回収されるようになっており、又、前記吸収塔３には、必要に応じて適宜、所要量の吸収剤スラリーが供給されるようになっている。
【０００５】
ところで、前記排ガスに同伴されるミストには吸収剤や石膏も含まれており、ミストを除去せずに排ガスをそのまま下流側へ流した場合、下流側のダクトに、前記ミストに含まれる吸収剤のカルシウム分や石膏が付着堆積してしまい、ダクトの流路抵抗が増加したり、ダクトの腐食が発生したりするため、前述の如くミストエリミネータ６，７によって排ガスに同伴されるミストを除去しているわけであるが、ミストエリミネータ６，７も放っておくと詰ってしまうため、定期的に洗浄してやる必要がある。
【０００６】
このため、従来においては、図９に示される如く、吸収塔３内に設置される下段のミストエリミネータ６を複数（Ｍ個）の領域に分割し且つ上段のミストエリミネータ７を複数（Ｎ個）の領域に分割し、該各領域毎に洗浄水噴射ライン８−１，８−２，…８−Ｍと洗浄水噴射ライン９−１，９−２，…９−Ｎとを配設し、該各洗浄水噴射ライン８−１，８−２，…８−Ｍと洗浄水噴射ライン９−１，９−２，…９−Ｎの途中に設けられた洗浄弁１０−１，１０−２，…１０−Ｍと洗浄弁１１−１，１１−２，…１１−Ｎとを順次開閉することにより、前記洗浄水噴射ライン８−１，８−２，…８−Ｍと洗浄水噴射ライン９−１，９−２，…９−Ｎから順次洗浄水を噴射し、ミストエリミネータ６，７の洗浄を行うようにしている。
【０００７】
尚、前記洗浄水噴射ライン８−１，８−２，…８−Ｍと洗浄水噴射ライン９−１，９−２，…９−Ｎは、途中に流量調整弁１２と流量計１３が設けられた洗浄水供給ライン１４から分岐されており、前記流量計１３で検出された洗浄水の流量検出信号１５が制御器１６に入力され、該制御器１６から流量調整弁１２へ開度指令信号１７が出力されて該流量調整弁１２の開度が適宜調整されることにより、前記洗浄水供給ライン１４には常時一定流量の洗浄水が流通されるようになっている。
【０００８】
【発明が解決しようとする課題】
従来の場合、前記洗浄弁１０−１，１０−２，…１０−Ｍの各々の開時間と洗浄弁１１−１，１１−２，…１１−Ｎの各々の開時間はそれぞれ固定されており、排ガスの流量が多くミストが飛びやすい高負荷（発電機出力高）時には、前記洗浄弁１０−１，１０−２，…１０−Ｍと洗浄弁１１−１，１１−２，…１１−Ｎを順次開閉して行く洗浄サイクルを連続的に行う一方、排ガスの流量が少なくミストが飛びにくい低負荷（発電機出力低）時には、前記洗浄サイクルを一回行う毎に、一回の洗浄サイクルに相当する時間だけ全ての洗浄弁を閉とし、これにより、低負荷時において噴射される洗浄水のトータルの量を高負荷時の半分とすることが行われていた。
【０００９】
これは、負荷が高ければミストエリミネータ６，７に付着するミスト量が多いので必要な洗浄水量も多く、負荷が低ければミストエリミネータ６，７に付着するミストが少ないので必要な洗浄水量も少ないためである。又、このようにすることで吸収塔３内における水分の蒸発量が高負荷時ほど多く、低負荷時ほど少ないことを考慮し、吸収塔３の液溜部１ａにおける液レベルがあまり変動しないようにすることをねらっているのであるが、前述の如く高負荷時と低負荷時という単に二つのパターンにおいて洗浄水のトータルの量を二段階に分けて調節するのでは、特に高負荷時と低負荷時との境界部分において、供給される洗浄水の量と蒸発量とのバランスが崩れやすく、液レベルが不安定となり、液溜部１ａにおける吸収液１の濃度が変化しやすくなる一方、酸化空気ブロワ５の吐出側の抵抗が変動して液溜部１ａ内へ供給される酸化空気流量も不安定となり、脱硫性能に影響が出る虞れがあった。
【００１０】
本発明は、斯かる実情に鑑み、吸収塔の液レベルを略一定に保持することができ、吸収液の濃度並びに酸化空気流量の変動を抑制し得、脱硫性能の安定化を図り得る排煙脱硫装置のミストエリミネータ洗浄方法を提供しようとするものである。
【００１１】
【課題を解決するための手段】
本発明は、吸収塔内に設置されるミストエリミネータを複数の領域に分割し、該各領域毎に洗浄水噴射ラインを配設し、該各洗浄水噴射ライン途中に設けられた洗浄弁を順次開閉することにより、ミストエリミネータの洗浄を行うようにした排煙脱硫装置のミストエリミネータ洗浄方法であって、発電機出力に基づいてミストエリミネータの基本洗浄水流量を求め、該基本洗浄水流量を吸収塔の液レベルに応じて補正し、必要洗浄水流量を求め、該必要洗浄水流量に基づき洗浄弁の開閉時間を制御し、ミストエリミネータの洗浄を行うことを特徴とする排煙脱硫装置のミストエリミネータ洗浄方法にかかるものである。
【００１２】
上記手段によれば、以下のような作用が得られる。
【００１３】
排煙脱硫装置の運転時には、発電機出力に基づいてミストエリミネータの基本洗浄水流量が求められ、該基本洗浄水流量が吸収塔の液レベルに応じて補正され、必要洗浄水流量が求められ、該必要洗浄水流量に基づき洗浄弁の開閉時間が制御され、ミストエリミネータの洗浄が行われる。
【００１４】
この結果、従来のように高負荷時と低負荷時という単に二つのパターンにおいて洗浄水のトータルの量を二段階に分けて調節するのではなく、発電機出力と吸収塔の液レベルに応じて洗浄弁の開閉時間を調節し、洗浄水のトータルの量を増減することが可能となり、高負荷時と低負荷時との境界部分においても、ミストエリミネータ洗浄効果を維持しつつ供給される洗浄水の量と蒸発量とのバランスが崩れにくく、液レベルが安定し、吸収液の濃度が変化しにくくなる一方、吸収塔内へ供給される酸化空気流量も安定し、脱硫性能に影響が出にくくなる。
【００１５】
【発明の実施の形態】
以下、本発明の実施の形態を図示例と共に説明する。
【００１６】
図１〜図５は本発明を実施する形態の一例であって、図中、図８及び図９と同一の符号を付した部分は同一物を表わしており、基本的な構成は図８及び図９に示す従来のものと同様であるが、本図示例の特徴とするところは、図１〜図５に示す如く、洗浄弁１０−１，１０−２，…１０−Ｍの各々の開時間をＴ１として順次開閉して行き、下段の最後の洗浄弁１０−Ｍが閉じて下段のミストエリミネータ６の洗浄が終了してから上段の最初の洗浄弁１１−１が開かれるまでの時間をＴ２とし、洗浄弁１１−１，１１−２，…１１−Ｎの各々の開時間をＴ１×Ａとして順次開閉して行き、上段の最後の洗浄弁１１−Ｎが閉じて上段のミストエリミネータ７の洗浄が終了してから再度下段の最初の洗浄弁１０−１が開かれるまでの時間をＴ２×Ｂとする洗浄弁制御回路１８（図１参照）と、
発電機出力ＭＷと吸収塔３の液溜部１ａの液レベルＬとに基づいて、前記洗浄弁１０−１，１０−２，…１０−Ｍの各々の開時間Ｔ１と、下段の最後の洗浄弁１０−Ｍが閉じて下段のミストエリミネータ６の洗浄が終了してから上段の最初の洗浄弁１１−１が開かれるまでの時間Ｔ２とを求める演算回路１９（図３参照）とを備えた点にある。
【００１７】
前記洗浄弁制御回路１８は、図１に示す如く、プッシュボタン２０のオン・オフ操作によりセット・リセットされるシングルフリップフロップ２１を設け、該シングルフリップフロップ２１から出力される洗浄指令信号２２をシングルフリップフロップ２３に対しセット信号として入力すると共に、ＮＯＴ回路２４を介してＯＲ回路２５へ入力し、前記シングルフリップフロップ２３から出力される出力信号２６をＡＮＤ回路２７−１へ入力すると共に、遅延時間として前記開時間Ｔ１が設定されるオンディレイタイマ２８−１とＮＯＴ回路２９−１とを介してＡＮＤ回路２７−１へ入力し、該ＡＮＤ回路２７−１から出力される論理積信号３０−１を洗浄弁１０−１を開くための信号として用いると共に、ＮＯＴ回路３１−１を介して洗浄弁１０−１を閉じるための信号として用い、
前記オンディレイタイマ２８−１から出力される遅延信号３２−１をＡＮＤ回路２７−２へ入力すると共に、遅延時間として前記開時間Ｔ１が設定されるオンディレイタイマ２８−２とＮＯＴ回路２９−２とを介してＡＮＤ回路２７−２へ入力し、該ＡＮＤ回路２７−２から出力される論理積信号３０−２を洗浄弁１０−２を開くための信号として用いると共に、ＮＯＴ回路３１−２を介して洗浄弁１０−２を閉じるための信号として用い、
以下同様の操作を繰り返し、一つ前の洗浄弁のオンディレイタイマ（図示せず）から出力される遅延信号を洗浄弁１０−ＭのＡＮＤ回路２７−Ｍへ入力すると共に、遅延時間として前記開時間Ｔ１が設定されるオンディレイタイマ２８−ＭとＮＯＴ回路２９−Ｍとを介してＡＮＤ回路２７−Ｍへ入力し、該ＡＮＤ回路２７−Ｍから出力される論理積信号３０−Ｍを洗浄弁１０−Ｍを開くための信号として用いると共に、ＮＯＴ回路３１−Ｍを介して洗浄弁１０−Ｍを閉じるための信号として用い、
続いて、前記オンディレイタイマ２８−Ｍから出力される遅延信号３２−Ｍを、遅延時間として前記時間Ｔ２が設定されるオンディレイタイマ３３を介してＡＮＤ回路３４−１へ入力すると共に、遅延時間として前記開時間Ｔ１×Ａが設定されるオンディレイタイマ３５−１とＮＯＴ回路３６−１とを介してＡＮＤ回路３４−１へ入力し、該ＡＮＤ回路３４−１から出力される論理積信号３７−１を洗浄弁１１−１を開くための信号として用いると共に、ＮＯＴ回路３８−１を介して洗浄弁１１−１を閉じるための信号として用い、
前記オンディレイタイマ３５−１から出力される遅延信号３９−１をＡＮＤ回路３４−２へ入力すると共に、遅延時間として前記開時間Ｔ１×Ａが設定されるオンディレイタイマ３５−２とＮＯＴ回路３６−２とを介してＡＮＤ回路３４−２へ入力し、該ＡＮＤ回路３４−２から出力される論理積信号３７−２を洗浄弁１１−２を開くための信号として用いると共に、ＮＯＴ回路３８−２を介して洗浄弁１１−２を閉じるための信号として用い、
以下同様の操作を繰り返し、一つ前の洗浄弁のオンディレイタイマ（図示せず）から出力される遅延信号を洗浄弁１１−ＮのＡＮＤ回路３４−Ｎへ入力すると共に、遅延時間として前記開時間Ｔ１×Ａが設定されるオンディレイタイマ３５−ＮとＮＯＴ回路３６−Ｎとを介してＡＮＤ回路３４−Ｎへ入力し、該ＡＮＤ回路３４−Ｎから出力される論理積信号３７−Ｎを洗浄弁１１−Ｎを開くための信号として用いると共に、ＮＯＴ回路３８−Ｎを介して洗浄弁１１−Ｎを閉じるための信号として用い、
前記オンディレイタイマ３５−Ｎから出力される遅延信号３９−Ｎを、遅延時間として前記時間Ｔ２×Ｂが設定されるオンディレイタイマ４０を介して前記ＯＲ回路２５へ入力し、該ＯＲ回路２５から出力される論理和信号４１をリセット信号として前記シングルフリップフロップ２３へ入力するようにしてある。
【００１８】
尚、前記Ａは、洗浄弁１０−１，１０−２，…１０−Ｍの各々の開時間Ｔ１を仮に「１」とした場合の、洗浄弁１１−１，１１−２，…１１−Ｍの各々の開時間を表わす固定の係数であり、前記Ｂは、下段の最後の洗浄弁１０−Ｍが閉じて下段のミストエリミネータ６の洗浄が終了してから上段の最初の洗浄弁１１−１が開かれるまでの時間Ｔ２を仮に「１」とした場合の、上段の最後の洗浄弁１１−Ｎが閉じて上段のミストエリミネータ７の洗浄が終了してから再度下段の最初の洗浄弁１０−１が開かれるまでの時間を表わす固定の係数であり、又、図２に示すＣは、一回の洗浄サイクルを表わす固定の時間である。
【００１９】
又、前記演算回路１９は、図３に示す如く、発電機出力ＭＷに基づきミストエリミネータ６，７の基本洗浄水流量Ｑを求めて出力する関数発生器４２と、
レベル計４３によって検出される吸収塔３の液レベルＬと液レベル設定値Ｌ０との差を求めて液レベル偏差ΔＬを出力する減算器４４と、
該減算器４４から出力される液レベル偏差ΔＬに基づきミストエリミネータ６，７の洗浄水の補正流量ｑを求めて出力する関数発生器４５と、
前記関数発生器４２から出力される基本洗浄水流量Ｑに対し前記関数発生器４５から出力される補正流量ｑを加えて必要洗浄水流量Ｑ１を出力する加算器４６と、
該加算器４６から出力される必要洗浄水流量Ｑ１に基づき前記洗浄弁１０−１，１０−２，…１０−Ｍの各々の開時間Ｔ１と、下段の最後の洗浄弁１０−Ｍが閉じて下段のミストエリミネータ６の洗浄が終了してから上段の最初の洗浄弁１１−１が開かれるまでの時間Ｔ２とを求めて出力する演算器４７とを備えてなる構成を有している。
【００２０】
尚、前記関数発生器４２には、図４に示されるような関数が入力されており、該関数は、発電機出力ＭＷの増減に対し略比例させてミストエリミネータ６，７の基本洗浄水流量Ｑを増減させることを表わしている。又、前記関数発生器４５には、図５に示されるような関数が入力されており、該関数は、液レベル偏差ΔＬがゼロのときにミストエリミネータ６，７の洗浄水の補正流量ｑとしてゼロを出力し、液レベル偏差ΔＬの増減に対し略反比例させてミストエリミネータ６，７の洗浄水の補正流量ｑを増減させることを表わしている。
【００２１】
又、前記加算器４６の代りに図６に示す如く乗算器４６’を用いることも可能であり、この場合には、前記関数発生器４５の代りに、前記減算器４４から出力される液レベル偏差ΔＬに基づきミストエリミネータ６，７の洗浄水の補正流量係数ｑ’を求めて出力する関数発生器４５’を用い、該関数発生器４５’には、図７に示す如く液レベル偏差ΔＬがゼロのときに補正流量係数ｑ’として「１」を出力し、液レベル偏差ΔＬの増減に対し略反比例させて補正流量係数ｑ’を増減させる関数を入力しておけばよい。
【００２２】
一方、前記演算回路１９の演算器４７においては、例えば、以下のようにして前記Ｔ１とＴ２とを求めるようにしている。
【００２３】
即ち、図２において、一回の洗浄サイクル（時間Ｃ）における洗浄水のトータルの量をベースに考えた場合、各洗浄弁開時の洗浄水流量をＱ０とすると、
【数１】
Ｑ０×Ｔ１×Ｍ＋Ｑ０×Ｔ１×Ａ×Ｎ＝Ｑ１×Ｃ
Ｑ０×Ｔ１×（Ｍ＋Ａ×Ｎ）＝Ｑ１×Ｃ
Ｔ１＝Ｑ１×Ｃ／（Ｑ０×（Ｍ＋Ａ×Ｎ））
となり、又、図２において、一回の洗浄サイクル（時間Ｃ）における時間をベースに考えた場合、
【数２】
Ｔ１×Ｍ＋Ｔ１×Ａ×Ｎ＋Ｔ２＋Ｔ２×Ｂ＝Ｃ
Ｔ１×（Ｍ＋Ａ×Ｎ）＋Ｔ２×（１＋Ｂ）＝Ｃ
となり、ここでＴ１に前式を代入すると、
【数３】
Ｑ１×Ｃ／Ｑ０＋Ｔ２×（１＋Ｂ）＝Ｃ
Ｔ２＝（Ｑ０−Ｑ１）×Ｃ／（Ｑ０×（１＋Ｂ））
となる。
【００２４】
尚、前記各洗浄弁開時の洗浄水流量Ｑ０は、あまり少なくしてしまうと、水圧が低下して洗浄効果が確保できなくなるため、洗浄効果を確保するために必要な値とし、固定としてある。
【００２５】
次に、上記図示例の作動を説明する。
【００２６】
排煙脱硫装置の運転時には、図３に示す演算回路１９の関数発生器４２において、発電機出力ＭＷに基づきミストエリミネータ６，７の基本洗浄水流量Ｑが求められて加算器４６へ出力される一方、レベル計４３によって検出される吸収塔３の液レベルＬと液レベル設定値Ｌ０との差が減算器４４において求められて液レベル偏差ΔＬが関数発生器４５へ出力され、該関数発生器４５において前記減算器４４から出力される液レベル偏差ΔＬに基づきミストエリミネータ６，７の洗浄水の補正流量ｑが求められて前記加算器４６へ出力され、該加算器４６において前記関数発生器４２から出力される基本洗浄水流量Ｑに対し前記関数発生器４５から出力される補正流量ｑが加えられて必要洗浄水流量Ｑ１が演算器４７へ出力される。尚、前記演算回路１９を図６に示すようにした場合には、前記減算器４４から出力される液レベル偏差ΔＬに基づき関数発生器４５’においてミストエリミネータ６，７の洗浄水の補正流量係数ｑ’が求められて乗算器４６’へ出力され、該乗算器４６’において前記関数発生器４２から出力される基本洗浄水流量Ｑに対し前記関数発生器４５’から出力される補正流量係数ｑ’が加えられて必要洗浄水流量Ｑ１が演算器４７へ出力される形となる。
【００２７】
前記演算器４７においては、前記加算器４６（或いは乗算器４６’）から出力される必要洗浄水流量Ｑ１に基づき、前記洗浄弁１０−１，１０−２，…１０−Ｍの各々の開時間Ｔ１と、下段の最後の洗浄弁１０−Ｍが閉じて下段のミストエリミネータ６の洗浄が終了してから上段の最初の洗浄弁１１−１が開かれるまでの時間Ｔ２とが、前述の式により求められて出力され、図１に示すオンディレイタイマ２８−１，２８−２，…２８−Ｍと、オンディレイタイマ３３と、オンディレイタイマ３５−１，３５−２，…３５−Ｎと、オンディレイタイマ４０における各遅延時間が設定される。
【００２８】
排煙脱硫装置の運転中は、図１におけるプッシュボタン２０はオンの状態のまま保持されるようになっているため、シングルフリップフロップ２１から出力される洗浄指令信号２２は「１」となっており、該「１」の洗浄指令信号２２がシングルフリップフロップ２３に対しセット信号として入力され、該シングルフリップフロップ２３から出力される出力信号２６も「１」となり、該「１」の出力信号２６がＡＮＤ回路２７−１へ入力されると共に、遅延時間として前記開時間Ｔ１が設定されるオンディレイタイマ２８−１とＮＯＴ回路２９−１とを介してＡＮＤ回路２７−１へ入力される。
【００２９】
ここで、前記開時間Ｔ１が経過するまでは、オンディレイタイマ２８−１から出力される遅延信号３２−１は「０」であってＮＯＴ回路２９−１から出力される信号は「１」であるため、前記ＡＮＤ回路２７−１から出力される論理積信号３０−１は「１」となって、先ず、洗浄弁１０−１が開き、図９に示す洗浄水噴射ライン８−１から洗浄水がミストエリミネータ６に対して噴射される。
【００３０】
前記洗浄弁１０−１が開いてから開時間Ｔ１が経過すると、前記オンディレイタイマ２８−１から出力される遅延信号３２−１が「０」から「１」になってＮＯＴ回路２９−１から出力される信号が「１」から「０」になるため、前記ＡＮＤ回路２７−１から出力される論理積信号３０−１が「１」から「０」となって、前記洗浄弁１０−１が閉じる。
【００３１】
続いて、前記オンディレイタイマ２８−１から出力される「１」の遅延信号３２−１がＡＮＤ回路２７−２へ入力されると共に、遅延時間として前記開時間Ｔ１が設定されるオンディレイタイマ２８−２とＮＯＴ回路２９−２とを介してＡＮＤ回路２７−２へ入力されるが、ここで、前記開時間Ｔ１が経過するまでは、オンディレイタイマ２８−２から出力される遅延信号３２−２は「０」であってＮＯＴ回路２９−２から出力される信号は「１」であるため、前記ＡＮＤ回路２７−２から出力される論理積信号３０−２は「１」となって、洗浄弁１０−２が開き、図９に示す洗浄水噴射ライン８−２から洗浄水がミストエリミネータ６に対して噴射される。
【００３２】
前記洗浄弁１０−２が開いてから開時間Ｔ１が経過すると、前記オンディレイタイマ２８−２から出力される遅延信号３２−２が「０」から「１」になってＮＯＴ回路２９−２から出力される信号が「１」から「０」になるため、前記ＡＮＤ回路２７−２から出力される論理積信号３０−２が「１」から「０」となって、前記洗浄弁１０−２が閉じる。
【００３３】
以下同様に洗浄弁が順次開閉される操作が繰り返されて行き、一つ前の洗浄弁のオンディレイタイマ（図示せず）から出力される「１」の遅延信号がＡＮＤ回路２７−Ｍへ入力されると共に、遅延時間として前記開時間Ｔ１が設定されるオンディレイタイマ２８−ＭとＮＯＴ回路２９−Ｍとを介してＡＮＤ回路２７−Ｍへ入力されると、前記開時間Ｔ１が経過するまでは、オンディレイタイマ２８−Ｍから出力される遅延信号３２−Ｍは「０」であってＮＯＴ回路２９−Ｍから出力される信号は「１」であるため、前記ＡＮＤ回路２７−Ｍから出力される論理積信号３０−Ｍは「１」となって、洗浄弁１０−Ｍが開き、図９に示す洗浄水噴射ライン８−Ｍから洗浄水がミストエリミネータ６に対して噴射される。
【００３４】
前記洗浄弁１０−Ｍが開いてから開時間Ｔ１が経過すると、前記オンディレイタイマ２８−Ｍから出力される遅延信号３２−Ｍが「０」から「１」になってＮＯＴ回路２９−Ｍから出力される信号が「１」から「０」になるため、前記ＡＮＤ回路２７−Ｍから出力される論理積信号３０−Ｍが「１」から「０」となって、前記洗浄弁１０−Ｍが閉じる。
【００３５】
続いて、前記オンディレイタイマ２８−Ｍから出力される「１」の遅延信号３２−Ｍが、遅延時間として前記時間Ｔ２が設定されるオンディレイタイマ３３を介してＡＮＤ回路３４−１へ入力されると共に、遅延時間として前記開時間Ｔ１×Ａが設定されるオンディレイタイマ３５−１とＮＯＴ回路３６−１とを介してＡＮＤ回路２７−２へ入力されるが、ここで、前記時間Ｔ２が経過するまでは、オンディレイタイマ３３から出力される信号は「０」のままであるため、洗浄弁１１−１は開かない。
【００３６】
前記洗浄弁１０−Ｍが閉じてから時間Ｔ２が経過すると、前記オンディレイタイマ３３から出力される信号が「０」から「１」になる一方、前記オンディレイタイマ３５−１に設定された開時間Ｔ１×Ａが経過するまでは、該オンディレイタイマ３５−１から出力される遅延信号３９−１は「０」であってＮＯＴ回路３６−１から出力される信号は「１」であるため、前記ＡＮＤ回路３４−１から出力される論理積信号３７−１は「１」となって、洗浄弁１１−１が開き、図９に示す洗浄水噴射ライン９−１から洗浄水がミストエリミネータ７に対して噴射される。
【００３７】
前記洗浄弁１１−１が開いてから開時間Ｔ１×Ａが経過すると、前記オンディレイタイマ３５−１から出力される遅延信号３９−１が「０」から「１」になってＮＯＴ回路３６−１から出力される信号が「１」から「０」になるため、前記ＡＮＤ回路３４−１から出力される論理積信号３７−１が「１」から「０」となって、前記洗浄弁１１−１が閉じる。
【００３８】
続いて、前記オンディレイタイマ３５−１から出力される「１」の遅延信号３９−１がＡＮＤ回路３４−２へ入力されると共に、遅延時間として前記開時間Ｔ１×Ａが設定されるオンディレイタイマ３５−２とＮＯＴ回路３６−２とを介してＡＮＤ回路３４−２へ入力されるが、ここで、前記開時間Ｔ１×Ａが経過するまでは、オンディレイタイマ３５−２から出力される遅延信号３９−２は「０」であってＮＯＴ回路３６−２から出力される信号は「１」であるため、前記ＡＮＤ回路３４−２から出力される論理積信号３７−２は「１」となって、洗浄弁１１−２が開き、図９に示す洗浄水噴射ライン９−２から洗浄水がミストエリミネータ７に対して噴射される。
【００３９】
前記洗浄弁１１−２が開いてから開時間Ｔ１×Ａが経過すると、前記オンディレイタイマ３５−２から出力される遅延信号３９−２が「０」から「１」になってＮＯＴ回路３６−２から出力される信号が「１」から「０」になるため、前記ＡＮＤ回路３４−２から出力される論理積信号３７−２が「１」から「０」となって、前記洗浄弁１１−２が閉じる。
【００４０】
以下同様に洗浄弁が順次開閉される操作が繰り返されて行き、一つ前の洗浄弁のオンディレイタイマ（図示せず）から出力される「１」の遅延信号がＡＮＤ回路３４−Ｎへ入力されると共に、遅延時間として前記開時間Ｔ１×Ａが設定されるオンディレイタイマ３５−ＮとＮＯＴ回路３６−Ｎとを介してＡＮＤ回路３４−Ｎへ入力されると、前記開時間Ｔ１×Ａが経過するまでは、オンディレイタイマ３５−Ｎから出力される遅延信号３９−Ｎは「０」であってＮＯＴ回路３６−Ｎから出力される信号は「１」であるため、前記ＡＮＤ回路３４−Ｎから出力される論理積信号３７−Ｎは「１」となって、洗浄弁１１−Ｎが開き、図９に示す洗浄水噴射ライン９−Ｎから洗浄水がミストエリミネータ７に対して噴射される。
【００４１】
前記洗浄弁１１−Ｎが開いてから開時間Ｔ１×Ａが経過すると、前記オンディレイタイマ３５−Ｎから出力される遅延信号３９−Ｎが「０」から「１」になってＮＯＴ回路３６−Ｎから出力される信号が「１」から「０」になるため、前記ＡＮＤ回路３４−Ｎから出力される論理積信号３７−Ｎが「１」から「０」となって、前記洗浄弁１１−Ｎが閉じる。
【００４２】
前記オンディレイタイマ３５−Ｎから出力される遅延信号３９−Ｎは、遅延時間として前記時間Ｔ２×Ｂが設定されるオンディレイタイマ４０を介してＯＲ回路２５へも入力されているため、前記洗浄弁１１−Ｎが閉じてから時間Ｔ２×Ｂが経過すると、前記オンディレイタイマ４０から出力される信号が「０」から「１」になり、ＯＲ回路２５から出力される論理和信号４１が「０」から「１」となり、前記シングルフリップフロップ２３がリセットされ、該シングルフリップフロップ２３から出力される出力信号２６が「１」から「０」となり、この時点で一回の洗浄サイクルが完了するが、次の瞬間には、前記オンディレイタイマ４０から出力される信号が「１」から「０」になり、前記ＯＲ回路２５から出力される論理和信号４１も「１」から「０」となり、前記シングルフリップフロップ２３が再びセットされ、該シングルフリップフロップ２３から出力される出力信号２６が「０」から「１」となり、次の洗浄サイクルが前述と同様に行われる。
【００４３】
この結果、従来のように高負荷時と低負荷時という単に二つのパターンにおいて洗浄水のトータルの量を二段階に分けて調節するのではなく、発電機出力ＭＷと吸収塔３の液レベルＬに応じて洗浄弁の開閉時間を調節し、洗浄水のトータルの量を増減することが可能となり、高負荷時と低負荷時との境界部分においても、ミストエリミネータ洗浄効果を維持しながら、供給される洗浄水の量と蒸発量とのバランスが崩れにくく、液レベルＬが安定し、液溜部１ａにおける吸収液１の濃度が変化しにくくなる一方、酸化空気ブロワ５の吐出側の抵抗が略一定となって液溜部１ａ内へ供給される酸化空気流量も安定し、脱硫性能に影響が出にくくなる。
【００４４】
こうして、吸収塔３の液レベルＬを略一定に保持することができ、吸収液１の濃度並びに酸化空気流量の変動を抑制し得、脱硫性能の安定化を図り得る。
【００４５】
尚、本発明の排煙脱硫装置のミストエリミネータ洗浄方法は、上述の図示例にのみ限定されるものではなく、本発明の要旨を逸脱しない範囲内において種々変更を加え得ることは勿論である。
【００４６】
【発明の効果】
以上、説明したように本発明の排煙脱硫装置のミストエリミネータ洗浄方法によれば、吸収塔の液レベルを略一定に保持することができ、吸収液の濃度並びに酸化空気流量の変動を抑制し得、脱硫性能の安定化を図り得るという優れた効果を奏し得る。
【図面の簡単な説明】
【図１】本発明を実施する形態の一例における洗浄弁制御回路を表わすブロック図である。
【図２】本発明を実施する形態の一例における一回の洗浄サイクルでの洗浄弁の開閉状態を表わす線図である。
【図３】本発明を実施する形態の一例における演算回路を表わすブロック図である。
【図４】図３及び図６の関数発生器４２に入力されている関数を表わす線図である。
【図５】図３の関数発生器４５に入力されている関数を表わす線図である。
【図６】本発明を実施する形態の一例における他の演算回路を表わすブロック図である。
【図７】図６の関数発生器４５’に入力されている関数を表わす線図である。
【図８】ミストエリミネータを備えた排煙脱硫装置の一例の全体概要構成図である。
【図９】図８に示すミストエリミネータの洗浄系を表わす概要構成図である。
【符号の説明】
３          吸収塔
６          ミストエリミネータ
７          ミストエリミネータ
８−１      洗浄水噴射ライン
８−２      洗浄水噴射ライン
８−Ｍ      洗浄水噴射ライン
９−１      洗浄水噴射ライン
９−２      洗浄水噴射ライン
９−Ｎ      洗浄水噴射ライン
１０−１      洗浄弁
１０−２      洗浄弁
１０−Ｍ      洗浄弁
１１−１      洗浄弁
１１−２      洗浄弁
１１−Ｎ      洗浄弁
１８          洗浄弁制御回路
１９          演算回路
２８−１      オンディレイタイマ
２８−２      オンディレイタイマ
２８−Ｍ      オンディレイタイマ
３３          オンディレイタイマ
３５−１      オンディレイタイマ
３５−２      オンディレイタイマ
３５−Ｎ      オンディレイタイマ
４０          オンディレイタイマ
Ｌ          液レベル
ＭＷ          発電機出力
Ｑ          基本洗浄水流量
Ｑ１        必要洗浄水流量
Ｔ１        開時間
Ｔ２        時間
【図１】
0003757609.tif 000002
【図２】
0003757609.tif 000003
【図３】
0003757609.tif 000004
【図４】
0003757609.tif 000005
【図５】
0003757609.tif 000006
【図６】
0003757609.tif 000007
【図７】
0003757609.tif 000008
【図８】
0003757609.tif 000009
【図９】
0003757609.tif 000010